(57)【特許請求の範囲】
【請求項１】
容器口部に組み付き、有底筒状の注出筒片の底壁に、閉ループ状に肉薄な破断可能溝を設けることにより抜栓部を区画形成し、該抜栓部の上面の一端から立設した連結柱にプルリングを連設し、前記プルリングの前端部分を前記連結柱との連設部より上方に位置させ、かつ該前端部分を水平に形成した、プルリング付き容器蓋において、  プルリングを、前記連設部より前端部分に向けて斜め上方に傾斜させ、前記連設部中心から前記前端部分に向けた中心線に対して左右対称に設けた一対の屈曲部で前端部分を水平に屈曲させたことを特徴とするプルリング付き容器蓋。
【請求項２】
容器口部に組み付き、有底筒状の注出筒片の底壁に、閉ループ状に肉薄な破断可能溝を設けることにより抜栓部を区画形成し、該抜栓部の上面の一端から立設した連結柱にプルリングを連設し、前記プルリングの前端部分を前記連結柱との連設部より上方に位置させ、かつ該前端部分を水平に形成した、プルリング付き容器蓋において、  プルリングに、連設部中心から前端部分に向けた中心線に対して左右対称に第１屈曲部及び第２屈曲部を設け、前記プルリングを前記連設部より第１屈曲部に向けて水平に形成し、該第１屈曲部から第２屈曲部に向けて斜め上方に傾斜させ、第２屈曲部から前方の前端部分を水平に形成したことを特徴とするプルリング付き容器蓋。
【請求項３】
容器口部に着脱自在に組み付き、有底筒体状の筒体上部から外方に拡径したフランジを備えた栓本体にプルリングを連設し、栓本体との連設部より該連設部に対向するプルリングの前端部分を上方に位置させ、かつ該前端部分を水平に形成したプルリング付き容器蓋において、  プルリングを、前記連設部より前端部分に向けて斜め上方に傾斜させ、前記連設部中心から前記前端部分に向けた中心線に対して左右対称に設けた一対の屈曲部で前端部分を水平に屈曲させたことを特徴とするプルリング付き容器蓋。
【請求項４】
容器口部に着脱自在に組み付き、有底筒体状の筒体上部から外方に拡径したフランジを備えた栓本体にプルリングを連設し、栓本体との連設部より該連設部に対向するプルリングの前端部分を上方に位置させ、かつ該前端部分を水平に形成したプルリング付き容器蓋において、  プルリングに、連設部中心から前端部分に向けた中心線に対して左右対称に第１屈曲部及び第２屈曲部を設け、前記プルリングを前記連設部より第１屈曲部に向けて水平に形成し、該第１屈曲部から第２屈曲部に向けて斜め上方に傾斜させ、第２屈曲部から前方の前端部分を水平に形成したことを特徴とするプルリング付き容器蓋。
【請求項５】
屈曲部を３対以上形成したことを特徴とする請求項２または請求項５に記載のプルリング付き容器蓋。
【請求項６】
プルリングに連設される連結柱を複数設けたことを特徴とする請求項１〜５のいずれか１項に記載のプルリング付き容器蓋。 
【発明の詳細な説明】
【技術分野】
【０００１】  本発明は、容器の口部に組み付けられ、プルリングを引いて口部を開封させる容器蓋に関し、特にプルリングの指の掛かりを良好にし、かつ成形性に優れたプルリング付き容器蓋に関する。
【背景技術】
【０００２】  プルリングを有する容器蓋は、例えば調味用液など使用直前まで容器内に密閉させておく必要がある液体を収納する場合などに多用されている。すなわち、容器蓋の底壁に破断可能ラインで切取領域を形成し、その切取領域内に連結したプルリングに指を掛けて引き上げて切取領域を除去したり、あるいは中栓に連結したプルリングに指を掛けて引き抜き容器を開口させるようにしている。【０００３】  ところが、プルリングの内径が狭い場合等には、指先をプルリングに引っ掛けづらい面があった。そこで従来、プルリングを上下方向に屈曲させ、実質的にプルリングの内径を拡大させて指先をプルリングに掛けやすくしたり、指先でプルリングを引いたときに屈曲部が伸張することによりプルリングの内径を広げて指の掛かりをよくするようにした発明が知られている。【０００４】
【特許文献１】特開２００３−７２８１１号公報
【発明の開示】
【発明が解決しようとする課題】
【０００５】  しかしながら上記従来のプルリングを備えた合成樹脂製容器蓋は、プルリングに一対の屈曲部を設け、指先を掛けるプルリングの先端部分が最も高くなるように構成している。【０００６】  したがって、プルリングは先端部分からすぐに下方に向かって傾斜しており、指に深く掛かるのはプルリングの先端部分だけであって、先端部分から少し離れた位置では指の掛かりが充分とはいえず、指先がプルリングからはずれ易いというおそれがあった。【０００７】  またプルリングを備えた容器蓋では、プルリングの内側用と外側用の金型を組み合わせてプルリングを成形し、内側用の金型を引き抜いた後、プルリングを内側に変形させながら外側用の型を引き抜いているため、型抜き時の変形を考慮してプルリングを設計する必要があった。【０００８】  本発明は、上記課題を解決し、指先の掛かりがよく引き上げやすく、しかも成形性に優れたプルリング付き容器蓋を提供することを目的とする。
【課題を解決するための手段】
【０００９】  本発明は、上記課題を解決するため次のように容器蓋を構成した。【００１０】
本発明の第一の構成は、容器口部に組み付き、有底筒状の注出筒片の底壁に、閉ループ状に肉薄な破断可能溝を設けることにより抜栓部を区画形成し、該抜栓部の上面の一端から立設した連結柱にプルリングを連設した容器蓋において、プルリングの前端部分を連結柱との連設部より上方に位置させ、かつ該前端部分を水平に形成したことを特徴とする。 
【００１１】
本発明の第二の構成は、容器口部に着脱自在に組み付き、有底筒体状の筒体上部から外方に拡径したフランジを備えた栓本体にプルリングを連設した容器蓋において、栓本体との連設部より該連設部に対向するプルリングの前端部分を上方に位置させ、かつ該前端部分を水平に形成したことを特徴とする。 
【００１３】
本発明の第三の構成は、上記の第一の構成または第二の構成に記載のプルリング付き容器蓋において、プルリングを、前記連設部より前端部分に向けて斜め上方に傾斜させ、前記連設部中心から前記前端部分に向けた中心線に対して左右対称に設けた一対の屈曲部で前端部分を水平に屈曲させたことを特徴とする。 
【００１４】
本発明の第四の構成は、上記の第一の構成または第二の構成に記載のプルリング付き容器蓋において、プルリングに、連設部中心から前端部分に向けた中心線に対して左右対称に第１屈曲部及び第２屈曲部を設け、前記プルリングを前記連設部より第１屈曲部に向けて水平に形成し、該第１屈曲部から第２屈曲部に向けて斜め上方に傾斜させ、第２屈曲部から前方の前端部分を水平に形成したことを特徴とする。
【００１６】
本発明の第五の構成は、上記の第四の構成に記載のプルリング付き容器蓋において、屈曲部を３対以上形成したことを特徴とする。  また、本発明の第六の構成は、上記の第一の構成〜第五の構成に記載の何れかのプルリング付き容器蓋において、プルリングに連設される連結柱を複数設けたことを特徴とする。 
【発明の効果】
【００１７】  本発明によれば、屈曲部によりプルリングの内径を実質的に拡大し指先をプルリング内に深く挿入でき、しかもプルリングの先端部分を水平に形成していることから指先の掛かりを良好にでき、容易に引き上げることが可能となる。更に屈曲部を設けたことにより型抜きが容易となり、成形性に優れたプルリング付き容器蓋を提供できる。【００１８】  栓本体にプルリングを連設した容器蓋においては、引き上げが容易であることから繰り返しの使用に有利となる。【００１９】  複数の連結柱を用いた容器蓋においては、プルリングからの力の伝達が有効となり、抜栓部の引き抜きを容易にする。
【発明を実施するための最良の形態】
【００２０】  本発明にかかるプルリング付き容器蓋の一実施形態について説明する。【００２１】  図１及び図３に、プルリング付き容器蓋１（以下容器蓋１とする。）の全体を示す。容器蓋１は、容器本体５０の口部５１に組み付くキャップ体２と、このキャップ体２にヒンジ１５を介して開閉自在に取り付けられた蓋体１４とから構成されている。尚、蓋体１４はヒンジ１５を介してキャップ体２に取り付けたものに限らず、ねじ止め、アンダーカット結合等でキャップ体２に取り付けるようにしてもよい。【００２２】  キャップ体２は、図１に示すように組付き筒４と、組付き筒４の内側に設けられた注出筒片１０と、注出筒片１０の底部内側に形成された底壁６と、底壁６から連結柱７を介して取り付けられたプルリング８と、シール筒１２等から構成されている。【００２３】  組付き筒４は、口部５１の外側にアンダーカット結合し、シール筒１２は、口部５１の内面に密に嵌合するように形成してある。【００２４】  注出筒片１０は、上部がラッパ上に開拡しており、口部５１から注出された液体を注ぎ出すようになっている。【００２５】  底壁６は、注出筒片１０の底部全体を覆い、開栓前は口部５１を密閉している。この底壁６には図２に示すように、抜栓部５を形成する薄肉状の破断可能溝３が閉ループ状に形成してあり、適度な引っ張り力で容易に切断され抜栓部５が底壁６から分離されるように形成してある。【００２６】  連結柱７は、抜栓部５とプルリング８とを連結しており、破断可能溝３の破断の容易さを考慮して抜栓部５の一方の端部に取り付けてある。【００２７】  プルリング８は、連結柱７との連設部１６とこの連設部１６に対向する先端部分１３との間に第１屈曲部９と第２屈曲部１１をそれぞれ連設部１６の中心から先端部分１３に向けた中心軸に対して左右対称に一対ずつ有し、連設部１６から第１屈曲部９までの間は水平に形成され、第１屈曲部９と第２屈曲部１１間では第２屈曲部１１に向けて斜め上方に延び、更に第２屈曲部１１から先方の先端部分１３は再び水平に形成されている。【００２８】  ここで連結柱７とプルリング８との連設部１６とは、連結柱７とプルリング８との結合部分をいう。更に連設部１６の中心とは結合部分の中心をいい、連結柱７が複数ある場合は、各連結柱７とプルリング８との結合部分全体の中心を指す。【００２９】  次に、容器蓋１の作用について説明する。【００３０】  プルリング８は、連設部１６と先端部分１３との間に第１屈曲部９と第２屈曲部１１が設けられ、連設部１６から先端部分１３に向けて全体的に上方に傾斜しているため実質的にその内径が拡大され、指先をプルリング８内に挿入しやすくなっている。またプルリング８の先端部分１３が水平に形成してあるため、プルリング８に指を掛けると先端部分１３の全体が指先に掛かり、指先にかかる幅が広くなり、かつ深く指に掛けることができ、プルリング８を引いたときに指先が抜けにくくなっている。【００３１】  また、第１屈曲部９と第２屈曲部１１により二対の屈曲部がプルリング８に形成されているため、先端部分１３に指先を掛け引いたとき、各屈曲部が伸張され、指先の掛かりをより深くできる。【００３２】  更に、第１屈曲部９と第２屈曲部１���の屈曲部が設けられているため、プルリング８を内側方向に変形させ易く、型抜きが容易となり、良好な成形性が得られる。【００３３】  尚、上記例では先端部分１３等を水平としたが、容器蓋１を水平に配置した状態を基準としたものである。また厳密な水平である必要はなく積極的に傾斜していないという意味に用いている。【００３４】
また、複数の連結柱７を図７に示すようにプルリング８との連設に用いてもよい。このように連結柱７を複数にすると抜栓部５との連結部分が拡大し、破断可能溝３に沿って引き抜き力を加えることができ抜栓部５を引き抜きやすくできる。尚、連結柱７は２本に限るものではない。
【００３５】  次にプルリングの他の例について説明する。【００３６】  図４に示すプルリング３０は、連結柱７との連設部１６から第３屈曲部３２までの部分が斜め上方に延び、第３屈曲部３２で屈曲し、第３屈曲部３２から先方の先端部分１３が水平になるよう形成されている。【００３７】  このプルリング３０によれば、図５に示すように連設部１６から斜め上方に延びているため内径が拡がり、指先をプルリング３０に挿入しやすくなり、また先端部分１３が水平であるので指先が抜けにくくなっている。【００３８】  更に、図６に示すように連設部１６と先端部分１３との間に水平となる平坦部分３６を設けてもよい。このプルリング３４の場合には、先端部分１３が水平になるとともに連設部１６と先端部分１３との間で屈曲部が多くなり、指先が挿入しやすくなるとともにプルリング３４を引いた際の伸びが大きくなり深く指先をプルリング３４に掛けて抜けにくくできる。【００４０】
図８に、プルリング８を栓本体４２に設けた容器蓋４１を示す。栓本体４２は円筒状で上部にフランジを有し、容器５０の口部５１に着脱自在に組み付けられる。プルリング８は、栓本体４２の側面に連結腕４４を介して連結されている。尚、連結腕４４を栓本体４２の底板に立設し、その上端部にプルリング８を連設したり、あるいはプルリング８を直接栓本体４１の側壁等に連設してもよい。
【００４１】  かかる容器蓋４１では、プルリング８に指先を掛け引き上げることで口部５１等から容易に抜き出すことができ、また組み付けることにより容器蓋４１を再度口部５１に取り付け、繰り返し使用することができる。尚、栓本体４２を直接口部５１に嵌合させず、容器蓋内に着脱自在に嵌合させ、容器蓋の中栓としてもよい。またかかる容器蓋４１では、プルリング８を上述したいずれのものを用いてもよく、また連結柱７を複数としてもよい。
【図面の簡単な説明】
【００４２】
【図１】本発明にかかるプルリング付き容器蓋の一実施形態を示す断面図である。
【図２】本発明にかかるプルリングの一実施形態を示す斜視図である。
【図３】本発明にかかるプルリング付き容器蓋を示す斜視図である。
【図４】他のプルリングを示す斜視図である。
【図５】図４のプルリングを示す断面図である。
【図６】他のプルリングの例を示す断面図である。
【図７】中栓の例を示す図である。
【図８】容器蓋の他の例を示す図である。
【符号の説明】
【００４３】１    容器蓋
２    キャップ体
３    破断可能溝
４    組付き筒
５    抜栓部
６    底壁
７    連結柱
８    プルリング
９    第１屈曲部
１０  注出筒片
１１  第２屈曲部
１２  シール筒体
１３  先端部分
１４  蓋体
１５  ヒンジ
１６  連設部
４１  容器蓋
４２  栓本体
４４  連結腕
５０  容器本体
５１  口部
【図１】
0004721153.tif 000002
【図２】
0004721153.tif 000003
【図３】
0004721153.tif 000004
【図４】
0004721153.tif 000005
【図５】
0004721153.tif 000006
【図６】
0004721153.tif 000007
【図７】
0004721153.tif 000008
【図８】
0004721153.tif 000009